(57)【要約】      （修正有）【課題】シンプルな構造で低コストに製作することができ、様々な形状の中空ブロックに対して標示灯を容易に設置することができる標示灯取付装置を提供する。【解決手段】標示灯１４は着脱可能なホルダ部１６と、注水口に取り付けられてホルダ部を支持する取付部１８とを備える。取付部は、注水口を通過できない大きさに形成され、表面側にホルダ部が固定された基板２０と、注水口を通過可能な大きさに形成され、基板の裏面側に対向する可動板２２と、基板に設けられ、可動板を、基板との離間距離を変更可能に支持する可動板支持機構と、基板の表面側に設けられ、可動板支持機構を動作させるノブ３０とを備える。標示灯は、中空ブロックに設置された状態で、基板と可動板とで注水口の周縁部を挟持することによって位置決めされる。【選択図】図２
0003219552.tif 000002
【実用新案登録請求の範囲】
【請求項１】
人の注意を喚起するための標示灯を、内部に水を充填可能な構造の中空ブロックに設置する標示灯取付装置であって、
前記標示灯が着脱可能に装着されるホルダ部と、前記中空ブロックの注水口に取り付けられて前記ホルダ部を支持する取付部とを備え、
前記取付部は、前記注水口を通過できない大きさに形成され、表面側又は側端部に前記ホルダ部が固定された基板と、前記注水口を通過可能な大きさに形成され、前記基板の裏面側に対向するように配置された可動板と、前記基板に設けられ、前記可動板を、前記基板との離間距離を変更可能に支持する可動板支持機構と、前記基板の表面側に設けられ、前記可動板支持機構を動作させて前記離間距離を変更する操作部とを有し、
前記中空ブロックに設置された状態で、前記基板及び前記操作部が前記注水口の外側に配置され、前記可動板が前記注水口の内側に配置され、前記基板と前記可動板とで前記注水口の周縁部を挟持することによって位置決めされることを特徴とする標示灯取付装置。
【請求項２】
前記吸水口の直径よりも長く、前記吸水口を通過可能な断面形状の長尺部材が設けられ、前記基板の裏面側に吊下具が設けられ、
前記中空ブロックに設置された状態で、前記長尺部材が、前記吊下具に吊り下げられて前記注水口の内側に配置される請求項１記載の標示灯取付装置。
【請求項３】
前記標示灯は、柱状本体の一端部に発光部が設けられたものであり、前記ホルダ部は、有底筒状に形成され、その底部が前記基板の表面側に固定され、
前記標示灯は、前記柱状本体を前記ホルダ部の開口端から内側に差し込むことによって前記ホルダ部に装着される請求項１又は２記載の標示灯取付装置。
【考案の詳細な説明】
【技術分野】
【０００１】
本考案は、道路や工事現場等を閉鎖するフェンスやバリケードに標示灯を設置する時に使用される標示灯取付装置に関する。
【背景技術】
【０００２】
道路や工事現場等を閉鎖するフェンスやバリケードには、夜間に歩行者や運転者に注意を喚起するため、標示灯が設置される。従来は、特許文献１に開示されている標示ケース等を使用して、標示灯を道路工事現場等に置かれたコーンの頂部に設置したり、架設単管に設置したりしていた。
【０００３】
近年、例えば特許文献２に開示された障壁用ブロック等のように、内部に水を充填した樹脂製の中空ブロックを用いてフェンスやバリケードが形成されるケースが増えてきた。中空ブロックは、水を抜くことによって非常に軽くなるので、現場への移送や、設営及び取り外し作業が容易になるという利点がある。
【先行技術文献】
【特許文献】
【０００４】
【特許文献１】特開平１０−１５９０３６号公報
【特許文献２】特開２０１３−２０９８０６号公報
【考案の概要】
【考案が解決しようとする課題】
【０００５】
この種の中空ブロックは、通常、標示灯を設置するための特別な構造を備えていない。また、特許文献１の標示灯ケースは、特定形状の中空ブロックであれば使用できる可能性があるが、様々な形状の中空ブロックに対して使用できる汎用性は備えていない。
【０００６】
本考案は、上記背景技術に鑑みて成されたものであり、シンプルな構造で低コストに製作することができ、様々な形状の中空ブロックに対して標示灯を容易に設置することができる標示灯取付装置を提供することを目的とする。
【課題を解決するための手段】
【０００７】
本考案は、人の注意を喚起するための標示灯を、内部に水を充填可能な構造の中空ブロックに設置する標示灯取付装置であって、前記標示灯が着脱可能に装着されるホルダ部と、前記中空ブロックの注水口に取り付けられて前記ホルダ部を支持する取付部とを備え、
前記取付部は、前記注水口を通過できない大きさに形成され、表面側又は側端部に前記ホルダ部が固定された基板と、前記注水口を通過可能な大きさに形成され、前記基板の裏面側に対向するように配置された可動板と、前記基板に設けられ、前記可動板を、前記基板との離間距離を変更可能に支持する可動板支持機構と、前記基板の表面側に設けられ、前記可動板支持機構を動作させて前記離間距離を変更する操作部とを有し、
前記中空ブロックに設置された状態で、前記基板及び前記操作部が前記注水口の外側に配置され、前記可動板が前記注水口の内側に配置され、前記基板と前記可動板とで前記注水口の周縁部を挟持することによって位置決めされる標示灯取付装置である。
【０００８】
前記吸水口の直径よりも長く、前記吸水口を通過可能な断面形状の長尺部材が設けられ、前記基板の裏面側に吊下具が設けられ、前記中空ブロックに設置された状態で、前記長尺部材が、前記吊下具に吊り下げられて前記注水口の内側に配置される構成にすることが好ましい。また、前記標示灯は、柱状本体の一端部に発光部が設けられたものであり、前記ホルダ部は、有底筒状に形成され、その底部が前記基板の表面側に固定され、前記標示灯は、前記柱状本体を前記ホルダ部の開口端から内側に差し込むことによって前記ホルダ部に装着される構成にしてもよい。
【考案の効果】
【０００９】
本考案の標示灯取付装置は、中空ブロックに水を充填するための注水口を利用して標示灯を簡単に設置することができる。中空ブロックは、外形が異なっていても注水口の構造は大体同じである。したがって、本考案の標示灯取付装置は、様々な外形の中空ブロックに使用できるという利点があり、非常に汎用性が高いものである。しかも、シンプルな構造で低コストに製作することができる。
【図面の簡単な説明】
【００１０】
【図１】本考案の標示灯取付装置の一実施形態の使用状態を示す図であって、複数の中空ブロックで形成されたフェンスに、標示灯が設置された様子を示す斜視図である。
【図２】標示灯を示す正面図（ａ）、この実施形態の標示灯取付装置を示す正面図（ｂ）、標示灯が標示灯取付装置に装着された状態を示す部分断面図（ｃ）である。
【図３】この実施形態の標示灯取付装置の取付部を示す平面図（ａ）、正面図（ｂ）、底面図（ｃ）である。
【図４】この実施形態の標示灯取付装置の取付部を示す右側面図（ａ）、左側面図（ｂ）、可動板支持機構の動作を示すＢ−Ｂ断面図である。
【図５】この実施形態の標示灯取付装置を中空ブロックに取り付けた状態を正面から見た断面図（ａ）、右側面から見た断面図（ｂ）である。
【図６】一般的な中空ブロックの外観を示す斜視図（ａ）、注水口の部分を拡大した平面図（ｂ）である。
【図７】注水口の部分の内部構造を示すＡ１−Ａ１断面図（ａ）、Ａ２−Ａ２断面図（ｂ）である。
【考案を実施するための形態】
【００１１】
以下、本考案の標示灯取付装置の一実施形態である標示灯取付装置１０について、図面に基づいて説明する。図１は、複数の中空ブロック１２により形成されたフェンスの上部に標示灯１４が設置された様子を示しており、標示灯１４は、標示灯取付装置１０を介して中空ブロック１２に固定されている。
【００１２】
中空ブロック１２は、図６（ａ）に示すように、樹脂等で成形された略直方体の外形を有し、自立できるように下端部が幅広になっており、天板中央部の少し凹んだ部分に、内部に水を充填するための注水口１２ａが設けられている。注水口１２ａは、図６（ｂ）及び図７に示すように、凹んだ部分の底面に形成された略円形の透孔であり、未使用時は、図示しない蓋部材で閉鎖される。以下、注水口１２ａを囲むフランジ状の部分を周縁部１２ｂと称する。
【００１３】
標示灯１４は、広く普及している一般的な標示灯であり、図２（ａ）に示すように、電池や回路基板等が内蔵された柱状本体１４ａを備え、柱状本体１４ａの一端部に発光部１４ｂが設けられている。
【００１４】
標示灯取付装置１０は、図２（ｂ）、（ｃ）に示すように、標示灯１４が装着されるホルダ部１６と、中空ブロック１２の注水口１２ａに取り付けられホルダ部１６を支持する取付部１８とを備えている。
【００１５】
ホルダ部１６は有底筒状の部材であり、側周面の開口端に近い位置に、側周面を貫通するネジ孔が設けられ、このネジ孔内に固定用ボルト１６ａが取り付けられている。標示灯１４を装着する時は、柱状本体１４ａをホルダ部１６の開口端から内側に深く差し込み、固定用ボルト１６ａを締め付ける。これで、固定ボルト１６ａの先端部とホルダ部１６の側周面との間に柱状本体１４ａが挟持され、標示灯１４が抜け止めされる。
【００１６】
取付部１８は、図３、図４に示すように、基板２０、可動板２２、可動板支持機構及び操作部を有している。可動板支持機構は、基板２０に設置されて、可動板２２を、基板２０との離間距離を変更可能に支持する機構であり、操作部は、基板２０の表面側に設置され、使用者が可動板支持機構を動作させて基板２０と可動板２２との離間距離を変更する時に操作する部分である。
【００１７】
基板２０は、中空ブロック１２の注水口１２ａを通過できない大きさに形成され、ホルダ部１６の下端部が固定された板である。ここでは、長方形の４つの角を丸く面取りした形状の金属板２０(1)の裏面側に、略円形の金属板２０(2)の表面側を一体に貼り合わせることによって形成されている。上記ホルダ部１６は、基板２０の、長手方向の一端部に近い位置の表面側に固定される。
【００１８】
可動板２２は、中空ブロック１２の注水口１２ａを通過可能な大きさに形成された金属製の板であり、基板２０の裏面側に対向するように配置されている。形状は略長方形で、長方形の長辺の長さが注水口１２ａ直径よりも長く、短辺の長さが短いので、水平にした状態では注水口１２ａを通過できないが、少し傾けることによって注水口１２ａを通過することができる。
【００１９】
可動板支持機構は、ボルト２４、ナット２６、及びガイドピン２８(1)，２８(2)により構成されている。ボルト２４は、基板２０の長手方向の一端部（ホルダ部１６が固定された端部と反対側の端部）に近い位置に設けられたネジ孔２０ａに螺合し、頭部が基板２０の表面側に配置され、ネジ部が基板２０の裏面側に突出している。そして、ボルト２４のネジ部は、可動板２２に形成された貫通孔２２ａの中にゆとりをもって挿通され、可動板２２の裏面側に突出している部分にナット２６が取り付けられている。したがって、可動板２２は、貫通孔２２ａの周縁部がナット２６によって支持され、ボルト２４が軸周りに回転すると、ナット２６及び可動板２２が上向き又は下向きに移動し、可動板２２と基板２０との離間距離が変化する。
【００２０】
ガイドピン２８(1)，２８(2)は、ボルト２４とほぼ同じ長さで、ボルト２４の側方に一対に配置されている。ガイドピン２８(1)，２８(2)は、上端部が基板２０の透孔２０ｂ(1)，２０b(2)に圧入されて基板２０に固定され、基板２０の裏面側に突出している部分が、可動板２２に形成された貫通孔２２ｂ(1)，２２ｂ(2)の中にゆとりをもって挿通されている。ガイドピン２８(1)，２８(2)は、ボルト２４が軸周りに回転した時に、可動板２２が一緒に回転しないようにするための部材であり、可動板２２の軸方向の移動は妨げない。
【００２１】
操作部は、使用者が操作して可動板支持機構を動作させる部分であり、ここでは、ボルト２４の頭部に取り付けられたノブ３０がこれに該当する。使用者がノブ３０を回すと、ボルト２４が軸周りに回転し、ナット２６及び可動板２２が上向き又は下向きに移動し、可動板２２と基板２０との離間距離を変化させることができる。
【００２２】
さらに、基板２０の、可動板２２から離れた位置の裏面側に、アイストラップ等の吊下具３２が取り付けられている。吊下具３２は、後述する長尺部材３４を紐で吊り下げる時に使用される。長尺部材３４は、中空ブロック１２の吸水口１２ａの直径よりも長く、吸水口１２ａを通過可能な断面形状の棒材である。
【００２３】
図５（ａ）、（ｂ）は、内部に水３６が充填された中空ブロック１２に、標示灯１４が装着された標示灯取付装置１０が取り付けられた状態を示している。標示灯取付装置１０を取り付ける作業は、非常に簡単である。まず、取付部１８の吊下具３２に長尺部材３４を紐で縛り付けた後、ノブ３０を回して可動板２２と基板２０の離間距離を長くする。次に、長尺部材３４と可動板２２を、吸水口１２ａを通じて中空ブロック１２の中に入れ、基板２０を中空ブロック１２の周縁部１２ｂに載置する。そして、ノブ３０を回して可動板２２を上向きに移動させ、基板２０と可動板２２とで注水口１２ａの周縁部１２ｂを挟持させると、装置全体が位置決めされ、図５（ａ）、（ｂ）の取り付け状態になる。
【００２４】
長尺部材３４は、標示灯１４を保護するために設けられている。例えば、上記の取り付け作業を行っている時、標示灯取付装置１０を吸水口１２ａにしっかりと固定する前に誤って手を離してしまうことが考えられる。このような場合、もし長尺部材３４がなければ、標示灯１４及び標示灯保持部１０が道路上に落下し、その衝撃で標示灯１４が破損してしまう可能性がある。しかし、長尺部材３４があるので、長尺部材３４が注水口１２の周縁部１２ｂの内面に引っ掛かり、標示灯１４及び標示灯取付装置１０が道路上に落下する事故が防止される。
【００２５】
以上説明したように、標示灯取付装置１０は、中空ブロック１２の注水口１２ａ及び周縁部１２ｂを利用して標示灯１４を設置することができ、中空ブロックは、外形が異なっていても注水口の構造は大体同じである。したがって、標示灯取付装置１０は、中空ブロック１２以外の様々な外形の中空ブロックに使用できるという利点があり、非常に汎用性が高いものである。しかも、シンプルな構造で低コストに製作することができる。
【００２６】
また、吊下具３２及び長尺部材３４が設けてあるので、標示灯取付装置１０が何らかの原因で吸水口１２及び周縁部１２ｂから脱落したとしても、標示灯１４が道路上に落下して破損するのを容易かつ確実に防止することができる。
【００２７】
なお、本考案の標示灯取付装置は、上記実施形態に限定されるものではない。例えば、標示灯の形状が上記の標示灯１４と異なる場合、ホルダ部の構造は、その標示灯の形状に合わせて自由に変更することができる。また、標示灯は、注水口から離れた位置（中空ブロックの側面等）に固定することも可能であり、その場合、ホルダ部と基板とを連結する連結部材を設け、取り付け状態で、ホルダ部が中空ブロックの側面等に配置されるようにすればよい。
【００２８】
取付部の基板及び可動板の形状や大きさは、上記と同様の作用効果が得られるものであれば、中空ブロックの注水口及びその周縁部の形状や大きさ、取付作業の容易さ等を考慮して、適宜変更することができる。
【００２９】
取付部の可動板支持機構の構成は、上記と同様の作用効果が得られるものであれば、上記の取付部１８の可動板支持機構と異なるものに変更することができる。上記の取付部１８の可動板支持機構は、ボルト２４を手動で回すことによって可動板２６を上下移動させるものであるが、例えば、電動式のアクチュエータ等を用いて構成してもよい。また、取付部の吊下部及び長尺部材は、必要に応じて省略してもよい。
【００３０】
中空ブロックは、中空の内部に水を充填可能な構造であれば良く、水の充填の要否や量は適宜設定可能であり、道路や工事現場等に設置される構造物であればよく、用途はフェンスやバリケードに限定されない。
【符号の説明】
【００３１】
１０  標示灯取付装置
１２  中空ブロック
１２ａ  注水口
１２ｂ  周縁部
１４  標示灯
１４ｂ  柱状本体
１６  ホルダ部
１８  取付部
２０  基板
２２  可動板
２４  ボルト（可動板支持機構）
２６  ナット（可動板支持機構）
２８(1)，２８(2)  ガイドピン（可動板支持機構）
３０  ノブ（操作部）
３２  吊下具
３４  長尺部材
３６  水
【図１】
0003219552.tif 000003
【図２】
0003219552.tif 000004
【図３】
0003219552.tif 000005
【図４】
0003219552.tif 000006
【図５】
0003219552.tif 000007
【図６】
0003219552.tif 000008
【図７】
0003219552.tif 000009
【手続補正書】
【提出日】平成30年10月30日(2018.10.30)
【手続補正１】
【補正対象書類名】明細書
【補正対象項目名】０００８
【補正方法】変更
【補正の内容】
【０００８】
前記注水口の直径よりも長く、前記注水口を通過可能な断面形状の長尺部材が設けられ、前記基板の裏面側に吊下具が設けられ、前記中空ブロックに設置された状態で、前記長尺部材が、前記吊下具に吊り下げられて前記注水口の内側に配置される構成にすることが好ましい。また、前記標示灯は、柱状本体の一端部に発光部が設けられたものであり、前記ホルダ部は、有底筒状に形成され、その底部が前記基板の表面側に固定され、前記標示灯は、前記柱状本体を前記ホルダ部の開口端から内側に差し込むことによって前記ホルダ部に装着される構成にしてもよい。
【手続補正２】
【補正対象書類名】明細書
【補正対象項目名】００２２
【補正方法】変更
【補正の内容】
【００２２】
さらに、基板２０の、可動板２２から離れた位置の裏面側に、アイストラップ等の吊下具３２が取り付けられている。吊下具３２は、後述する長尺部材３４を紐で吊り下げる時に使用される。長尺部材３４は、中空ブロック１２の注水口１２ａの直径よりも長く、注水口１２ａを通過可能な断面形状の棒材である。
【手続補正３】
【補正対象書類名】明細書
【補正対象項目名】００２３
【補正方法】変更
【補正の内容】
【００２３】
図５（ａ）、（ｂ）は、内部に水３６が充填された中空ブロック１２に、標示灯１４が装着された標示灯取付装置１０が取り付けられた状態を示している。標示灯取付装置１０を取り付ける作業は、非常に簡単である。まず、取付部１８の吊下具３２に長尺部材３４を紐で縛り付けた後、ノブ３０を回して可動板２２と基板２０の離間距離を長くする。次に、長尺部材３４と可動板２２を、注水口１２ａを通じて中空ブロック１２の中に入れ、基板２０を中空ブロック１２の周縁部１２ｂに載置する。そして、ノブ３０を回して可動板２２を上向きに移動させ、基板２０と可動板２２とで注水口１２ａの周縁部１２ｂを挟持させると、装置全体が位置決めされ、図５（ａ）、（ｂ）の取り付け状態になる。
【手続補正４】
【補正対象書類名】明細書
【補正対象項目名】００２４
【補正方法】変更
【補正の内容】
【００２４】
長尺部材３４は、標示灯１４を保護するために設けられている。例えば、上記の取り付け作業を行っている時、標示灯取付装置１０を注水口１２ａにしっかりと固定する前に誤って手を離してしまうことが考えられる。このような場合、もし長尺部材３４がなければ、標示灯１４及び標示灯保持部１０が道路上に落下し、その衝撃で標示灯１４が破損してしまう可能性がある。しかし、長尺部材３４があるので、長尺部材３４が注水口１２ａの周縁部１２ｂの内面に引っ掛かり、標示灯１４及び標示灯取付装置１０が道路上に落下する事故が防止される。
【手続補正５】
【補正対象書類名】明細書
【補正対象項目名】００２６
【補正方法】変更
【補正の内容】
【００２６】
また、吊下具３２及び長尺部材３４が設けてあるので、標示灯取付装置１０が何らかの原因で注水口１２ａ及び周縁部１２ｂから脱落したとしても、標示灯１４が道路上に落下して破損するのを容易かつ確実に防止することができる。
【手続補正６】
【補正対象書類名】実用新案登録請求の範囲
【補正対象項目名】請求項２
【補正方法】変更
【補正の内容】
【請求項２】
前記注水口の直径よりも長く、前記注水口を通過可能な断面形状の長尺部材が設けられ、前記基板の裏面側に吊下具が設けられ、
前記中空ブロックに設置された状態で、前記長尺部材が、前記吊下具に吊り下げられて前記注水口の内側に配置される請求項１記載の標示灯取付装置。